(57)【特許請求の範囲】
【請求項１】
建物の基本設計を実行するＣＡＤシステムと、
建物の縦断面図を生成する矩計図面作成部とを備え、
この矩計図面作成部には、
前記建物の縦断面図生成に必要なユニットを表示する画像であって、予め設定された特徴パラメータに従ってファイル名を付与された画像データを集めた画像データ群を記憶した記憶装置と、
前記ＣＡＤシステムから、前記建物の縦断面図に含まれる主要部品の特徴パラメータを取得して、前記記憶装置から該当する主要部品を含むユニットの画像データを選択して読み出すデータ選択処理部とを備えたことを特徴とする矩計図面作成システム。
【請求項２】
請求項１に記載の矩計図面作成システムにおいて、
読み出されたユニットの画像データを、所定の位置情報に基づいて基準線上に配列する部品配列処理部を備えたことを特徴とする矩計図面作成システム。
【請求項３】
建物の縦断面図生成に必要なユニットを表示する画像であって、予め設定された特徴パラメータに従ってファイル名を付与された画像データを集めた画像データ群を記憶装置に記憶する処理と、
建物の基本設計を実行するＣＡＤシステムから、前記建物の縦断面図に含まれる主要部品の特徴パラメータを取得して、前記記憶装置から該当する主要部品を含むユニットの画像データを選択して読み出し、所定の位置情報に基づいて基準線上に配列する処理をコンピュータに実行させるための矩計図面作成プログラムを記録した、コンピュータ読み取り可能な記録媒体。
【発明の詳細な説明】
【０００１】
【発明の属する技術分野】
本発明はＣＡＤデータを利用して建物の詳細な縦断面図（矩形図面）を生成することができる矩形図面作成システムに関する。
【０００２】
【従来の技術】
住宅の建築に必要な平面図や立面図、あるいは間取図等の作成には、ＣＡＤシステムが利用される。一方、建築工事の現場では、平面図や立面図の他に、建物の詳細な縦断面図が必要になる。この図は矩計図面と呼ばれ、建築関係の法規に基づく確認申請の際にも使用される。
【０００３】
矩計図面には、建物の細部にわたる詳細な部品の配置や寸法等が記入される。これに対して、ＣＡＤシステムで作成される平面図や立面図等には、建物の主要部品のみが記入される。即ち、ＣＡＤシステムでは、建物の細部にわたる詳細な部品の配置や寸法等の情報を持たない。そこで、図面作成担当者は、ＣＡＤシステムとは別個に、設計図面を参照しながら矩計図面の作成に必用な部品を選択し、これらの部品の画像データを集めて合成して、建物の縦断面図を生成するようにしている（特開平８−１６７０４６号公報）。このような作図処理もＣＡＤ用のアプリケーションプログラムを使用するが、建物設計のためのＣＡＤシステムとは別個の処理となる。
【０００４】
【発明が解決しようとする課題】
ところで、上記のような従来の技術には、次のような解決すべき課題があった。
上記のように、矩計図面の作成に必用な部品を的確に選択する作業は熟練を要する。また、矩計図面の作成に必用な多数の部品の画像データを予め準備しておき、その中から選択したものを集めて並べて合成して、建物の縦断面図を生成する作業は、非常に手間と時間がかかる。さらに，これらの多数の部品の画像データを、個別に準備して記憶させておくための管理は煩雑になり、大容量の記憶装置が必要になるという問題があった。
【０００５】
【課題を解決するための手段】
本発明は以上の点を解決するため次の構成を採用する。
〈構成１〉
建物の基本設計を実行するＣＡＤシステムと、建物の縦断面図を生成する矩計図面作成部とを備え、この矩計図面作成部には、上記建物の縦断面図生成に必要なユニットを表示する画像であって、予め設定された特徴パラメータに従ってファイル名を付与された画像データを集めた画像データ群を記憶した記憶装置と、上記ＣＡＤシステムから、上記建物の縦断面図に含まれる主要部品の特徴パラメータを取得して、上記記憶装置から該当する主要部品を含むユニットの画像データを選択して読み出すデータ選択処理部とを備えたことを特徴とする矩計図面作成システム。
【０００６】
〈構成２〉
構成１に記載の矩計図面作成システムにおいて、読み出されたユニットの画像データを、所定の位置情報に基づいて基準線上に配列する部品配列処理部を備えたことを特徴とする矩計図面作成システム。
【０００７】
〈構成３〉
建物の縦断面図生成に必要なユニットを表示する画像であって、予め設定された特徴パラメータに従ってファイル名を付与された画像データを集めた画像データ群を記憶装置に記憶する処理と、建物の基本設計を実行するＣＡＤシステムから、上記建物の縦断面図に含まれる主要部品の特徴パラメータを取得して、上記記憶装置から該当する主要部品を含むユニットの画像データを選択して読み出し、所定の位置情報に基づいて基準線上に配列する処理をコンピュータに実行させるための矩計図面作成プログラムを記録した、コンピュータ読み取り可能な記録媒体。
【０００８】
【発明の実施の形態】
以下、本発明の実施の形態を、具体例を用いて説明する。
図１は本発明の矩形図面作成システムブロック図である。
図のシステムは、ＣＡＤシステム１０と、これに接続された矩形図面作成部１からなる。ＣＡＤシステム１０と矩形図面作成部１は、それぞれ、例えば図示しないパーソナルコンピュータやワークステーションにより実現し、いずれも、プロセッサ及び記憶装置を備える。また、この図では、煩雑さを避けるために、説明に必要な機能ブロックのみを表示している。
【０００９】
ＣＡＤシステム１０は、建物を設計するための平面図１１、立面図１２、間取図１３などの図面データを記憶している。これらのデータはいずれも、ＣＡＤシステム１０上で動作する図示しない図面作成用のアプリケーションプログラムにより作成されたものである。矩形図面作成部１には、データ選択処理部２０、記憶装置３０、部品配列処理部４０が設けられている。データ選択処理部２０は、ＣＡＤシステム１０から矩形図面を作成するための主要部品のデータ２１を受け入れ、ここから主要部品の特徴パラメータ２２を取得し、この特徴パラメータ２２によってファイル名２３を生成する機能を持つ。
【００１０】
主要部品のデータ２１というのは、図面データ中に含まれる特徴パラメータ２２を取得するために必要なデータで、例えば、部品リストのような文字データである。この部品リスト中には、部品の寸法や種類等の属性データが含まれる。特徴パラメータ２２は、部品リスト中の、特定の部品の部品名や属性データである。あとで説明するように、ファイル名２３は、例えば、特徴パラメータをつなぎ合わせて生成される。
【００１１】
記憶装置３０には、主要部品を含むユニットの画像データ３１が記憶される。ユニットの画像データというのは、建物の基本設計を行うＣＡＤシステムの個々の部品用の画像データとは異なる。ユニットの画像データは、所定の特徴パラメータにより特定される例えば、屋根部分の詳細な縦断面図である。ここには必要なすべての表示や部品の画像データが含まれている。ＣＡＤシステムに記憶された図面データに含まれない部品のデータも含まれている。また、詳細な縦断面図用に集約された画像データであるから、各部品の画像データを個別にバラバラに記憶しておくよりも十分にデータサイズが小さくなる。もちろん、各部品のデータを集めて合成する作業も不要である。
【００１２】
部品配列処理部４０は、記憶装置３０に記憶された画像データ３１の中から選択した画像データ４１と、位置情報４２とを受け入れて、矩形図面４３を生成する機能を持つ。データ選択処理部２０により得られたファイル名２３により記憶装置３０をアクセスすると、所定のユニットの画像データ４１が選択される。位置情報４２とは、選択した画像データ４１を並べて合成する場合の相互の位置関係を示す情報である。矩形図面４３は、ユニットの画像データを位置合わせして合成した結果得られるデータである。矩形図面４３はディスプレイ５１に表示され、完成後はプリンタ５２により印刷される。
【００１３】
以上のようなシステムでは、ＣＡＤシステム１０から、建物の縦断面図に含まれる主要部品のデータを受け入れて、その特徴パラメータを取得する。例えば屋根の部分の縦断面図を作成する場合には、屋根の材料と勾配と軒下の寸法とを特徴パラメータとして抽出する。実際に販売している住宅の屋根の種類は限られているから、いくつかの特徴パラメータを特定すると、屋根の縦断面図に必要な全ての部品とその配置や寸法を特定できる。即ち、屋根部分の縦断面図が特定できる。
【００１４】
出現し得る特徴パラメータの組み合わせに相当する種類だけ、屋根部分の縦断面図の画像データを用意しておく。この画像データのことを、本発明では、主要部品を含むユニットの画像データと呼んでいる。縦断面図に含まれる全ての部品の画像データを個別に記憶しておくよりも画像データの数は十分に少なくてよくデータ管理が容易になる。もちろん必要な全てのユニットの画像データを記憶しても、記憶容量は従来よりも少なくてよい。
【００１５】
記憶装置３０には、特徴パラメータの異なる全てのユニットの画像データを記憶させておく。ＣＡＤシステムから屋根部分や天井部分、開口部分、壁部分、バルコニー部分、床下と基礎部分等の特徴パラメータをそれぞれ取得し、これらのユニットを選択してつなぎ合わせれば、矩計図面が完成する。従って、従来よりも部品を合成する作業が大幅に簡略化される。また、ユニットの画像データが自動的に選択されるから、矩計図面作成作業が迅速で確実になる。
【００１６】
なお、ユニット毎に、各ユニットを特定できる特徴パラメータに従ってファイル名を付与しておけば、記憶装置３０（図１）中の各画像データの内容が、ファイル名により一目瞭然になり、管理が容易になるという効果がある。例えば、瓦屋根を使用した住宅であって、その勾配が４．軒下の寸法が７０であるとする。これらが屋根の特徴パラメータである。このような特徴パラメータを持つ屋根部分のユニットの画像データファイル名を、Ｋ４−７０とする。なお、瓦屋根を指定する記号はＫである。
【００１７】
また、縦断面図を生成するためには、屋根部分や天井部分、開口部分、壁部分、バルコニー部分、床下と基礎部分等の４〜５個のユニットの画像データを合成する。各ユニットの画像データは所定の基準線に沿って所定位置に並べられる。ＣＡＤシステムから各ユニットのサイズと高さ方向の位置と基準線に対するオフセットを示す情報を取得すれば、自動的に選択されたユニットの画像データを配列して合成できる。なお、位置情報は手入力により入力されても構わない。以上が本発明の概略説明である。以下本発明のシステムをより具体的に説明する。
【００１８】
図２は矩形図面の具体例を示す住宅の縦断面図である。
この図の中間部分は省略してある。即ち、この例では、主として、屋根部分と天井部分と床下と基礎部分のユニットを図示した。図に示すように、矩形図面には、屋根５８、屋根裏５９、天井５３、壁５４などの部品の縦断面図が含められる。また、床下と基礎部分には、床５５や基礎５６の詳細な縦断面図が含められる。ＣＡＤシステムの図面には、天井の詳細な内部構造や壁の内部構造などは含まれない。しかしながら、屋根の形式や材料や寸法その他の条件が決まれば、自動的に軒下や軒先部分の構造などが決まる。
【００１９】
図３は、図１に示した主要部品を含むユニットの画像データ３１の例を示す背説明図である。
図の（ａ）は、瓦屋根であって軒出が９１０、屋根の傾斜が５、下屋が３０の場合の画像データである。各画像データの下にはそのファイル名を図示した。同じ瓦屋根であって傾斜が５の場合にはＣ５、軒出が９１０の場合は−９、下屋が３０の場合にはＦ３０、下屋が４０の場合にはＦ４０というように表示する。（ａ）は下屋が３０の例、（ｂ）は下屋が４０の例である。また（ｃ）は軒下の構造が異なるためＦがＫとなっている。
【００２０】
これらの画像データには、矩形図面中に表示するべき寸法線やその他の様々な情報が全て含まれている。これらの画像データのファイル名に含まれる情報は全てＣＡＤシステム側から特徴パラメータとして取り出すことができる。このように、この実施例では、特徴パラメータをそのまま連結してファイル名にしている。従って特徴パラメータにより簡単に画像データを記憶したファイルを記憶部から読み出すことができる。
【００２１】
図４は図１に示した記憶装置３０に記憶された主要部品を含むユニットの画像データの内容説明図である。
（ａ）は画像データの分類と選択条件を示し、（ｂ）は画像データを用いて矩形図面を作成する場合に必要な位置情報などの例を示す。図の（ａ）に示すように、各部品の画像データは大分類・中分類・小分類といった分類で整理されている。大分類は例えば屋根とか壁とか天井とかいった分類である。また中分類は瓦とかスレートといった屋根の材料を示す分類である。こうした分類によって、予め、多くの部品の画像データの中から選択の対象となる画像データ群を絞り込む。
【００２２】
さらに図のように選択条件Ａ・Ｂ・Ｃを用いて特定の画像データを取り出す。この選択条件Ａ・Ｂ・Ｃが、特徴パラメータである。この例では、大分類・中分類・小分類と、特徴パラメータＡ・Ｂ・Ｃとをつなぎ合わせたものが、そのまま選択部品のファイル名に割り当てられている。従って、例えば屋根であって瓦を使用した屋根についての特徴パラメータがＡ１・Ｂ１・Ｃ１という場合には、その選択条件を分類記号とつなぎ合わせてファイル名を生成する。図４（ａ）に示すようなテーブルデータを記憶しておけば、特徴パラメータをキーとして、該当する画像データのファイル名を容易に取得できる。また、記憶装置３０に記憶した画像データの管理もこのテーブルデータにより行うことができる。即ち、このように画像データを分類しておけば、建物の仕様や形状が追加変更になった場合にも、このテーブルデータをメンテナンスして、必要なユニットの画像データを追加するだけで対応できる。
【００２３】
また、図４（ｂ）に示すように、各選択部品には、それぞれユニットの位置決めをするための基本配置座標がテーブル状の属性データとして含められる。パラメトリック寸法値は、各ユニットを並べて合成する場合に、サイズ合わせをするためのデータである。屋根の画像データ、壁や床の部分の画像データ、床下と基礎部分の画像データを縦方向に並べて、基本配置座標により位置合わせをし、パラメトリック寸法値を用いて寸法合わせをすると、図２に示したような矩形図面が出来上がる。なお、必要に応じて、パラメトリック寸法値をマニュアルで変更しても構わない。
【００２４】
図５は、上記のような本発明のシステムによる矩形図面作成処理の手順説明図である。また、図６は、本発明のシステム構成図である。
図５は、図１に示した各ブロックの具体的な動作を図解したもので、図１と対応させるように表示した。図１の矩形図面作成部１は、この図に示す手順で矩形図面作成処理を実行する。まず、図５のステップＳ１において図１に示したデータ選択処理部２０は、ＣＡＤシステム１０から主要部品のデータ２１を取得する。具体的には、図６に示したように、矩形図面作成部１側のコンピュータが、ＣＡＤシステム１０側のコンピュータの記憶装置６０に記憶されたＣＡＤデータ６１を参照する。そして、ネットワーク６２を通じて主要部品のデータ２１を取得する。
【００２５】
さらにステップＳ２において、そのデータから主要部品の特徴パラメータ２２を取り出す。そしてステップＳ３において、これらの特徴パラメータ２２をキーとして、図６に示したテーブルデータを参照する。これによりファイル名２３を生成する。このファイル名２３を用いて、図６に示す記憶装置３０に記憶された画像データ３１を選択して読み出す（ステップＳ４）。次のステップＳ５において、選択した画像データ３１がディスプレイ５１の表示画面上に呼び出される。そして、矩形図面を作成するために、図に示す基準線５０の上に載せられる。この時、図４（ｂ）を用いて説明した位置情報に基づいて、画像データ４１が基準線５０上の所定の位置に位置決めされる。
【００２６】
この位置情報は図６のテーブルデータ６３中に含められており、具体的な内容は図５の右側に示してある。オフセットというのは水平方向の基準線５０に対する位置ずれ量を示す。オフセットが０だから、画像データ４１の中心線と基準線５０とを一致させる。また幅７０高さ４５であるから、その寸法に縦横寸法を調整する。こうして画像データ４１が所定の寸法に調整された上でディスプレイ上に表示される。ステップＳ２からステップＳ６の処理は、ユニット数分繰り返される。例えば図２の例では、屋根部分のユニットと、１階と２階の境目の床部分のユニットと、１階の床下と基礎部分のユニットとを順に配置し、さらに、壁部分のユニットを上書きするといった手順で、矩形図面が完成する。この図面は図６に示すプリンタ６４により印刷される。
【００２７】
上記のような方法によれば、ＣＡＤシステムから自動的に主要部品の特徴パラメータを取り出し、これの特徴を満たす画像データを記憶装置から自動的に読み出して並べればよいため、部品の選択作業が非常に簡単になる。また細かい部品毎に画像データが分かれていないので、多数の部品の画像データを管理する必要がなくなる。さらに、実際に並べて重ね合わせて処理をする画像データの数が非常に少なくてすむから、重ね合わせの際の位置やサイズ調整が容易になり、これによっても矩形図面の作成作業が効率化される。
【００２８】
上記の矩形図面作成部中に示したデータ選択処理部２０や部品配列処理部４０等の機能ブロックは、それぞれ別々のプログラムモジュールにより構成してもよいし、一体化したプログラムモジュールにより構成してもよい。また、これらの機能ブロックの全部または一部を論理回路によるハードウエアで構成しても構わない。また、各プログラムモジュールは、既存のアプリケーションプログラムに組み込んで動作させてもよいし、独立のプログラムとして動作させてもよい。これらのコンピュータプログラムは、例えばＣＤ−ＲＯＭのようなコンピュータで読み取り可能な記録媒体に記録して、インストールして利用することができる。
【図面の簡単な説明】
【図１】本発明の矩形図面作成システムブロック図である。
【図２】矩形図面の具体例を示す住宅の縦断面図である。
【図３】図１に示した主要部品を含むユニットの画像データ３１の例を示す背説明図である。
【図４】図１に示した記憶装置３０に記憶された主要部品を含むユニットの画像データの内容説明図である。
【図５】本発明のシステムによる矩形図面作成処理の手順説明図である。
【図６】本発明のシステム構成図である。
【符号の説明】
１  矩形図面作成部
１０  ＣＡＤシステム
２０  データ選択処理部
２２  主要部品の特徴パラメータ
３０  記憶装置
３１  主要部品を含むユニットの画像データ
４０  部品配列処理部
４２  位置情報
４３  矩形図面
【図１】
0004616455.tif 000002
【図２】
0004616455.tif 000003
【図３】
0004616455.tif 000004
【図４】
0004616455.tif 000005
【図５】
0004616455.tif 000006
【図６】
0004616455.tif 000007